(57)【要約】  光ファイバを使用した通信のための技法が、開示される。光アド／ドロップ・マルチプレクサ（ＯＡＤＭ）ノードは、第１のトランク局と第２のトランク局を接続する第１のファイバ対に対するインターフェースを含んでいる。ＯＡＤＭノードは、第１のトランク局および第２のトランク局をブランチ局と接続する第２のファイバ対に対するインターフェースをさらに含んでいる。ＯＡＤＭノードは、第１のトランク局、第２のトランク局、およびブランチ局の間の接続性を提供するように構成された複数のフィルタを含んでいる。他の実施形態が、説明され、また請求される。
2015501088.tif 000002
【特許請求の範囲】
【請求項１】
第１のトランク局と第２のトランク局を接続する第１のファイバ対に対する第１のインターフェースと、
前記第１のトランク局および前記第２のトランク局をブランチ局と接続する第２のファイバ対に対する第２のインターフェースと、
前記第１のトランク局、前記第２のトランク局、および前記ブランチ局の間の接続性を提供するように構成された複数のフィルタと
を備える光アド／ドロップ・マルチプレクサ（ＯＡＤＭ）ノード。
【請求項２】
複数のバイパス・スイッチをさらに備え、各スイッチは、障害が、前記第１のファイバ対または前記第２のファイバ対の上で検出されたときに、１つまたは複数のフィルタをバイパスするように構成されている、請求項１に記載のＯＡＤＭノード。
【請求項３】
前記複数のバイパス・スイッチは、前記第１のトランク局および前記第２のトランク局によってサポートされる光学バンドと同じ数のスイッチを含んでいる、請求項２に記載のＯＡＤＭノード。
【請求項４】
前記第１のトランク局、前記第２のトランク局、および前記ブランチ局は、おのおの、第１の光学バンド、第２の光学バンド、および第３の光学バンドをサポートする、請求項１に記載のＯＡＤＭノード。
【請求項５】
前記第１の光学バンドは、前記ブランチ局と前記第１のトランク局の間でデータ・トラフィックを搬送し、前記第２の光学バンドは、前記第１のトランク局と前記第２のトランク局の間でデータ・トラフィックを搬送し、また前記第３の光学バンドは、前記第２のトランク局と前記ブランチ局の間でデータ・トラフィックを搬送する、請求項４に記載のＯＡＤＭノード。
【請求項６】
前記第１のトランク局は、第１のグループの光学バンドをサポートし、前記第２のトランク局は、第２のグループの光学バンドをサポートし、また前記ブランチ局は、前記第２のグループの光学バンドをサポートする、請求項１に記載のＯＡＤＭノード。
【請求項７】
前記第１のトランク局は、前記第２のトランク局または前記ブランチ局よりも低いバンド幅能力を有するレガシー局である、請求項６に記載のＯＡＤＭノード。
【請求項８】
前記第１のグループの光学バンドは、第１の光学バンドおよび第２の光学バンドを含み、また前記第２のグループの光学バンドは、前記第１の光学バンド、前記第２の光学バンド、第３の光学バンド、および第４の光学バンドを含み、前記第１の光学バンドは、前記ブランチ局と前記第２のトランク局の間でデータ・トラフィックを搬送し、前記第２の光学バンドは、前記ブランチ局と前記第１のトランク局の間でデータ・トラフィックを搬送し、前記第３の光学バンドは、前記第１のトランク局と前記第２のトランク局の間でデータ・トラフィックを搬送し、また前記第４の光学バンドは、前記ブランチ局と前記第２のトランク局の間でデータ・トラフィックを搬送する、請求項６に記載のＯＡＤＭノード。
【請求項９】
第１のトランク局、
第２のトランク局、
ブランチ局、
第１のファイバ対、
第２のファイバ対、ならびに
前記第１のトランク局と前記第２のトランク局を接続する前記第１のファイバ対に対する第１のインターフェースと、
前記第１のトランク局および前記第２のトランク局を前記ブランチ局と接続する前記第２のファイバ対に対する第２のインターフェースと、
前記第１のトランク局、前記第２のトランク局、および前記ブランチ局の間の接続性を提供するように構成された複数のフィルタと
を備える光アド／ドロップ・マルチプレクサ（ＯＡＤＭ）ノード
を備えるシステム。
【請求項１０】
前記ＯＡＤＭノードは、
複数のバイパス・スイッチ
をさらに備え、各スイッチは、障害が、前記第１のファイバ対または前記第２のファイバ対の上で検出されたときに、１つまたは複数のフィルタをバイパスするように構成されている、請求項９に記載のシステム。
【請求項１１】
前記複数のバイパス・スイッチは、前記第１のトランク局および前記第２のトランク局によってサポートされるバンドと同じ数のスイッチを含んでいる、請求項１０に記載のＯＡＤＭノード。
【請求項１２】
前記第１のトランク局、前記第２のトランク局、および前記ブランチ局は、おのおの、第１の光学バンド、第２の光学バンド、および第３の光学バンドをサポートする、請求項９に記載のＯＡＤＭノード。
【請求項１３】
前記第１の光学バンドは、前記ブランチ局と前記第１のトランク局の間でトラフィックを搬送し、前記第２の光学バンドは、前記第１のトランク局と前記第２のトランク局の間でトラフィックを搬送し、また前記第３の光学バンドは、前記第２のトランク局と前記ブランチ局の間でトラフィックを搬送する、請求項１２に記載のＯＡＤＭノード。
【請求項１４】
前記第１のトランク局は、第１のグループの光学バンドをサポートし、前記第２のトランク局は、第２のグループの光学バンドをサポートし、また前記ブランチ局は、前記第２のグループの光学バンドをサポートする、請求項９に記載のＯＡＤＭノード。
【請求項１５】
前記第１のトランク局は、前記第２のトランク局または前記ブランチ局よりも低いバンド幅能力を有するレガシー局である、請求項１４に記載のＯＡＤＭノード。
【請求項１６】
前記第１のグループの光学バンドは、第１の光学バンドおよび第２の光学バンドを含み、また前記第２のグループの光学バンドは、前記第１の光学バンド、前記第２の光学バンド、第３の光学バンド、および第４の光学バンドを含み、前記第１の光学バンドは、前記ブランチ局と前記第２のトランク局の間でトラフィックを搬送し、前記第２の光学バンドは、前記ブランチ局と前記第１のトランク局の間でトラフィックを搬送し、前記第３の光学バンドは、前記第１のトランク局と前記第２のトランク局の間でトラフィックを搬送し、また前記第４の光学バンドは、前記ブランチ局と前記第２のトランク局の間でトラフィックを搬送する、請求項１４に記載のＯＡＤＭノード。
【請求項１７】
光通信を提供するための方法であって、
第１のファイバ対を介して、光アド／ドロップ・マルチプレクサ（ＯＡＤＭ）ノードにおいて第１のトランク局から第１の通信を受信するステップと、
前記第１のファイバ対を介して、前記ＯＡＤＭノードにおいて第２のトランク局から第２の通信を受信するステップと、
第２のファイバ対を介して、前記第１の通信および前記第２の通信をブランチ局に対してルーティングするステップと
を含む方法。
【請求項１８】
前記ＯＡＤＭノードは、前記第１のトランク局、前記第２のトランク局、および前記ブランチ局の間の接続性を提供するように構成された複数のフィルタを備える、請求項１７に記載の方法。
【請求項１９】
前記ＯＡＤＭノードは、複数のバイパス・スイッチを備え、各スイッチは、障害が、前記第１のファイバ対または前記第２のファイバ対の上で検出されたときに、１つまたは複数のフィルタをバイパスするように構成されている、請求項１７に記載の方法。
【請求項２０】
前記第１のトランク局、前記第２のトランク局、および前記ブランチ局は、おのおの、第１の光学バンド、第２の光学バンド、および第３の光学バンドをサポートする、請求項１７に記載の方法。
【請求項２１】
前記第１の光学バンドは、前記ブランチ局と前記第１のトランク局の間でトラフィックを搬送し、前記第２の光学バンドは、前記第１のトランク局と前記第２のトランク局の間でトラフィックを搬送し、また前記第３の光学バンドは、前記第２のトランク局と前記ブランチ局の間でトラフィックを搬送する、請求項２０に記載の方法。
【請求項２２】
前記第１のトランク局は、第１のグループの光学バンドをサポートし、前記第２のトランク局は、第２のグループの光学バンドをサポートし、また前記ブランチ局は、前記第２のグループの光学バンドをサポートする、請求項１７に記載の方法。
【請求項２３】
前記第１のグループの光学バンドは、第１の光学バンドおよび第２の光学バンドを含み、また前記第２のグループの光学バンドは、前記第１の光学バンド、前記第２の光学バンド、第３の光学バンド、および第４の光学バンドを含み、前記第１のバンドは、前記ブランチ局と前記第２のトランク局の間でトラフィックを搬送し、前記第２のバンドは、前記ブランチ局と前記第１のトランク局の間でトラフィックを搬送し、前記第３のバンドは、前記第１のトランク局と前記第２のトランク局の間でトラフィックを搬送し、また前記第４のバンドは、前記ブランチ局と前記第２のトランク局の間でトラフィックを搬送する、請求項２２に記載の方法。
【請求項２４】
前記第１のトランク局は、前記第２のトランク局または前記ブランチ局よりも低いバンド幅能力を有するレガシー局である、請求項２２に記載の方法。
【発明の詳細な説明】
【技術分野】
【０００１】
本開示の実施形態は、光ファイバ通信ネットワークの内部で使用される対称光アド・ドロップ多重化ノード（ｓｙｍｍｅｔｒｉｃａｌ  ｏｐｔｉｃａｌ  ａｄｄ  ａｎｄ  ｄｒｏｐ  ｍｕｌｔｉｐｌｅｘｉｎｇ  ｎｏｄｅ）に関する。より詳細には、本開示は、トランク局およびブランチ局において同じ数のファイバ対を使用して、トランクの２つの端局とブランチ局の間で通信を可能にするように構成されている対称光アド・ドロップ多重化ノードに関する。
【背景技術】
【０００２】
海底光ファイバ通信システムは、陸上ケーブル局の間に延びる主要トランク経路を含むことができる。主要トランクは、その中に複数の光ファイバ、およびケーブル局の間で送信される光信号を増幅するために使用される、トランク経路に沿って配置された１つまたは複数のリピータまたは光増幅器を有する海底ケーブルによって規定される。各ケーブル局は、主要トランク経路に沿ってこれらの光信号を送信し、また受信するために使用される端末機器を含んでいる。そのような海底システムは、分岐ユニット（ＢＵ：ｂｒａｎｃｈｉｎｇ  ｕｎｉｔ）によってトランクに結合された１つまたは複数のブランチ・セグメントを含むこともできる。ブランチ・セグメントは、主要トランクに沿って接続された分岐ユニットからブランチ・セグメント・ケーブル局へと延びる。トランク・ケーブル局を使用して、ネットワークのバックボーンを通して情報信号を搬送することができるが、ブランチ・ケーブル局を使用して、トランク経路にトラフィックを追加し、またはトランク経路からトラフィックを脱落させることができる。ケーブル局の間で送信される光信号は、一般的に、その中で複数の光チャネルが、おのおのそれぞれの波長で、一緒に多重化される高密度波長分割多重化（ＤＷＤＭ：ｄｅｎｓｅ  ｗａｖｅｌｅｎｇｔｈ−ｄｉｖｉｓｉｏｎ  ｍｕｌｔｉｐｌｅｘｅｄ）信号である。
【０００３】
図１は、ケーブル局ＡとＢの間に配置されたトランク１１０と、光アド・ドロップ・マルチプレクサ（ＯＡＤＭ：ｏｐｔｉｃａｌ  ａｄｄ−ｄｒｏｐ  ｍｕｌｔｉｐｌｅｘｅｒ）ノード１００を経由してケーブル局Ｃをトランク１１０に接続するブランチ・セグメント１２０とを含む従来の簡略化されたトランクおよびブランチのネットワーク構成を示すものである。一般に、ＯＡＤＭノードを使用して、ケーブル局の間でＤＷＤＭ光信号の内部のチャネルを追加し、かつ／または脱落させ、またＯＡＤＭノードは、ケーブル化されたファイバを経由して接続された１つまたは複数の別個のユニットまたは本体の形で実装されることもある。この場合にも、トランク経路１１０は、複数の光ファイバ対１１５、光ケーブルに沿って配置された１つまたは複数の光増幅器、ならびにケーブル局ＡからＢへ（Ａ〜Ｂ）かつ／またはケーブル局ＢからＡへ（Ｂ〜Ａ）光信号を送信するために使用される他の光／電気機器を有する光ケーブルによって規定される。一般的に、光信号または「スルー・トラフィック（ｔｈｒｏｕｇｈ  ｔｒａｆｆｉｃ）」は、ケーブル局ＡとＢの間でトランク１１０に沿って伝わるのに対して、ケーブル局Ｃに向かうことになっている信号は、ＯＡＤＭ  １００を使用してトランク１１０から追加され／脱落され、またブランチ・セグメント１２０に対して供給される。トランク１１０に沿った各ファイバ対１１５では、ＯＡＤＭ  １００からケーブル局Ｃへの両方向の伝送容量を提供するために、ブランチ・セグメント１２０の内部の２つの対応するファイバ対１２５および１３０が存在しており、それによってすべての３つのケーブル局Ａ、ＢおよびＣの間の接続性をサポートしている。とりわけ、トランク１１０が、八（８）個のファイバ対を含んでおり、またトランクの上のすべてのファイバ対が、ケーブル局ＡおよびＢとケーブル局Ｃの接続性をサポートする場合、そのときにはブランチ・セグメント１２０は、ケーブル局Ｃへの／からの伝送を受け入れるように十六（１６）個のファイバ対を含むことになる。現在の最先端技術においては、トランク・ファイバ対当たりに１つのブランチ・ファイバ対が使用される場合、そのときには３つの端局のうちの２つのおのおのの組合せの間の接続性を有することは可能ではない。それゆえに、１つのトランク・ファイバ対および１つのブランチ・ファイバ対を仮定すると、ＡとＣの間（Ａ〜Ｃ）およびＡとＢの間（Ａ〜Ｂ）の接続性、またはＢとＣの間（Ｂ〜Ｃ）およびＡとＢの間（Ａ〜Ｂ）の接続性のいずれかが存在することができるが、トランク・ファイバ対の上のすべての３つのＡ〜Ｃ、Ａ〜ＢおよびＢ〜Ｃの接続性は、存在することができない。
【０００４】
ケーブル局ＣをＯＡＤＭ  １００に接続するために使用される海底ケーブルは、トランク経路１１０についてのケーブルと比べて２倍の数のファイバ対を含んでいるので、ブランチ・セグメント１２０のために製造されるケーブルおよび関連する光リピータは、非常に多数のファイバ経路および光増幅器をそれぞれサポートするために、より多くのコストがかかることになる。さらに、複数のファイバ対が、双方向のトラフィックのために必要とされるので、ブランチ・セグメント１２０のスペクトル効率は、トランク経路１１０のスペクトル効率に比べて低いことになる。特に、スペクトル効率は、通信ネットワーク、あるいはこの場合には、ブランチ・セグメント１２０の内部の、与えられたバンド幅の上の送信される情報レート、または総伝送容量である。言い換えれば、使用可能なスペクトルバンド幅をより効率的に使用することにより、スペクトル効率はより高くなる。ブランチ・セグメント１２０では、ファイバ対のうちの１つ（例えば、１３０）は、ケーブル局Ｃから／へとＯＡＤＭ  １００へと／からトラフィックを受け入れ、また他のファイバ対（例えば、１２５）は、ＯＡＤＭ  １００から／へとケーブル局Ｃへと／からトラフィックを受け入れる。方向性のあるトラフィックを受け入れる別個のファイバ対が存在するので、ブランチの中の２つのファイバ対１２５および１３０のおのおのについてのスペクトル効率は、対応するトランク・ファイバ対１１５のスペクトル効率と比べて低い。従来の光ネットワークにおいては、ブランチ・セグメントにおけるファイバ対の、トランク経路に対する１対１の対応が、使用される場合、そのときには３つの端局Ａ、ＢおよびＣのうちの２つのおのおのの組合せの間の接続性は可能ではない。例えば、従来の例示のネットワークにおいては、ブランチ・セグメント１２０におけるファイバ対１３０は、ケーブル局ＢとＣの間の双方向通信に排他的に専用になっており、またブランチ・セグメント１２０におけるファイバ対１２５は、ケーブル局ＡとＣの間の双方向通信に排他的に専用になっている。したがって、ファイバ対１３０（代わりに１２５）が、ブランチ・セグメント１２０において実施されない場合、そのときにはＢとＣ（代わりにＡとＣ）の間の対応する接続性は、ＯＡＤＭノード１００の中に存在しないことになる。それゆえに、１つのトランク・ファイバ対および１つのブランチ・ファイバ対を仮定すると、従来の光ネットワークにおいては、ブランチ・ファイバ対１２５が実装される場合、またはブランチ・ファイバ１３０が実装されない場合に、ＡとＣの間（Ａ〜Ｃ）およびＡとＢの間（Ａ〜Ｂ）の接続性が存在することができるか、またはブランチ・ファイバ対１３０が実装される場合、またはブランチ・ファイバ対１２５が実装されない場合に、ＢとＣの間（Ｂ〜Ｃ）およびＡとＢの間（Ａ〜Ｂ）の接続性が存在することができるかのいずれかである。しかしながら、ファイバ対１２５および１３０の両方は、ブランチ１２０において、ＯＡＤＭノード１００を経由したすべての３つの、Ａ〜Ｃの接続、Ａ〜Ｂの接続、およびＢ〜Ｃの接続が、図１に示されるように存在することを可能にするように実装される必要がある。それゆえに、対称ファイバ対が使用されることを可能にするＯＡＤＭノードについての必要性が存在している。すなわち、トランクの中の各ファイバ対では、単一の対応するファイバ対だけが、ブランチにおいて、３つの端局のうちの２つのおのおのの組合せの間の接続性を可能にするために必要とされる。本改善が必要とされていることは、これらの考察および他の考察に関連している。
【発明の概要】
【課題を解決するための手段】
【０００５】
以下は、本明細書において説明されるいくつかの新規の実施形態についての基本的な理解を提供するために簡略化された概要を提示するものである。この概要は、広範囲に及ぶ概説ではなく、また重要な要素を識別し、またはその範囲を示すことを意図してはいない。その唯一の目的は、後で提示される、より詳細な説明に対する前置きとして簡略化された形態でいくつかの概念を提示することである。
【０００６】
本開示の実施形態は、光ファイバ通信ネットワークの内部で使用される対称光アド・ドロップ多重化ノードに関する。より詳細には、本開示は、トランク局およびブランチ局において同じ数のファイバ対を使用して、トランクの２つの端局とブランチ局の間の通信を可能にするように構成されている対称光多重化ノードに関する。
【０００７】
一実施形態においては、ＯＡＤＭノードは、トランクの中のファイバ対当たりに、ただ１つのブランチ・ファイバ対を使用して、ブランチ局とトランクの両方の端局の間の接続性を可能にするように構成されている。解決法は、トランク局からブランチ局へとトラフィックを提供するために、より効率的な、またあまり高価でないやり方を提供することができる。一実施形態においては、例えば、一連のフィルタは、ＯＡＤＭノードの内部で、トランクの中のファイバ対ごとに、ブランチの中の単一のファイバ対だけを使用して、ブランチ局とトランクの両方の端局の間の接続性を可能にするように構成されている。さらに、一実施形態を使用して、トランクの中のファイバ対ごとに、ブランチの中の単一のファイバ対だけを使用して、低いバンド幅のレガシー・システムをより高いバンド幅の新しいシステムと接続することができる。他の実施形態が、説明され、また請求される。
【０００８】
一実施形態は、第１のトランク局と第２のトランク局を接続する第１のファイバ対に対するインターフェースと、第１のトランク局および第２のトランク局をブランチ局と接続する第２のファイバ対に対するインターフェースと、第１のトランク局、第２のトランク局、およびブランチ局の間の接続性を提供するように構成された複数のフィルタとを備えるＯＡＤＭノードを含むことができる。
【０００９】
さらなる一実施形態においては、対称ＯＡＤＭノードは、複数のバイパス・スイッチを含むことができる。各スイッチは、障害が、第１のファイバ対または第２のファイバ対の上で検出されたときに、１つまたは複数のフィルタをバイパスするように構成されてよい。複数のバイパス・スイッチは、第１のトランク局および第２のトランク局によってサポートされるバンドと同じ数のスイッチを含むことができる。
【００１０】
一実施形態においては、第１のトランク局、第２のトランク局、およびブランチ局は、おのおの第１のバンド、第２のバンド、および第３のバンドをサポートすることができる。第１のバンドは、ブランチ局と第１のトランク局の間のトラフィックを搬送することができ、第２のバンドは、第１のトランク局と第２のトランク局の間のトラフィックを搬送することができ、また第３のバンドは、第２のトランク局とブランチ局の間のトラフィックを搬送することができる。
【００１１】
一実施形態においては、第１のトランク局は、第１のバンドおよび第２のバンドをサポートすることができ、第２のトランク局は、第１のバンド、第２のバンド、第３のバンド、および第４のバンドをサポートすることができ、またブランチ局は、第１のバンド、第２のバンド、第３のバンド、および第４のバンドをサポートすることができる。この実施形態においては、第１のトランク局は、第２のトランク局またはブランチ局よりも低いバンド幅能力を有するレガシー局とすることができる。第１のバンドは、ブランチ局と第２のトランク局の間でトラフィックを搬送することができ、第２のバンドは、ブランチ局と第１のトランク局の間でトラフィックを搬送することができ、第３のバンドは、第１のトランク局と第２のトランク局の間でトラフィックを搬送することができ、また第４のバンドは、ブランチ局と第２のトランク局の間でトラフィックを搬送することができる。
【００１２】
上記の目的、および関連した目的を達成するために、ある種の実例となる態様が、以下の説明と添付の図面とに関連して本明細書において説明される。これらの態様は、本明細書において開示される原理が、実行される可能性があり、またすべての態様とその同等形態が、特許請求の範囲の主題の範囲に含まれることが意図されている様々なやり方を示すものである。他の利点および新規の特徴は、図面と併せて考慮されるときに以下の詳細な説明から明らかになるであろう。
【図面の簡単な説明】
【００１３】
【図１】簡略化された従来のトランクおよびブランチのネットワークを示す図である。
【図２】本開示の例示の一実施形態による、対称ＯＡＤＭノードの一実施形態を示す図である。
【図３】本開示の例示の一実施形態による、対称ＯＡＤＭノードの一実施形態を示す図である。
【図４】本開示の例示の一実施形態による、トランクおよびブランチのネットワークＯＡＤＭノードを示す図である。
【図５】本開示の例示の一実施形態による、対称ＯＡＤＭノードの一実施形態を示す図である。
【図６】本開示の例示の一実施形態による、対称ＯＡＤＭノードの一実施形態についての論理フローを示す図である。
【発明を実施するための形態】
【００１４】
様々な実施形態は、光ファイバ通信ネットワークの内部で使用するための対称光アド・ドロップ多重化ノードを対象としている。より詳細には、本開示は、同じ数のファイバ対を使用して、複数のトランク局の間で、またトランク局とブランチ局の間で双方向トラフィックを搬送して、トランクの２つの端局とブランチ局の間の通信を可能にするように構成されている対称光アド・ドロップ多重化ノードに関する。
【００１５】
一実施形態においては、光ファイバ・システムは、第１のトランク局と第２のトランク局を接続する第１のファイバ対に対するインターフェースと、第１のトランク局および第２のトランク局をブランチ局と接続する第２のファイバ対に対するインターフェースと、第１のトランク局、第２のトランク局、およびブランチ局の間の接続性を提供するように構成された複数のフィルタとを備えるＯＡＤＭノードを含むことができる。
【００１６】
他の実施形態が、説明され、また請求される。様々な実施形態は、１つまたは複数の要素を備えることができる。ある要素は、ある種のオペレーションを実行するように構成された任意の構造を備えることができる。各要素は、与えられた１組の設計パラメータまたは性能制約条件について望ましいように、ハードウェア、ソフトウェア、またはその任意の組合せとして実装されることもある。一実施形態は、例として、ある種のトポロジにおける限られた数の要素を用いて説明されることもあるが、本実施形態は、与えられた実装形態のために望ましいように、代替的なトポロジにおけるより多くの要素、またはより少ない要素を含むことができる。「一実施形態」または「ある実施形態」に対するどのような言及も、その実施形態に関連して説明される特定の特徴、構造、または特性が、少なくとも１つの実施形態に含まれることを意味することに注意する価値がある。明細書の中の様々な場所における「一実施形態において」という熟語の出現は、必ずしもすべてが、同じ実施形態のことを意味しているものとは限らない。
【００１７】
次に参照が、図面に対して行われ、そこでは、同様な参照番号を使用して、全体を通して同様な要素を参照している。以下の説明では、説明の目的のために、非常に多数の特定の詳細が、その完全な理解を提供するために説明される。しかしながら、新規の実施形態は、これらの特定の詳細なしに実行され得ることは、明らかとすることができる。他の例では、よく知られている構造およびデバイスが、その説明を容易にするためにブロック図形式で示される。意図は、特許請求の範囲の主題の精神および範囲に含まれるすべての修正形態と、同等形態と、代替形態とを対象として含むことである。
【００１８】
図２は、一実施形態による、ＯＡＤＭノード２００を示すものである。図２に示されるＯＡＤＭノード２００は、ある種のトポロジにおける限られた数の要素を有するが、ＯＡＤＭノード２００が、与えられた実装形態のために望ましいように、代替的なトポロジにおけるより多くの要素、またはより少ない要素を含むことができることを理解することができる。一実施形態においては、各実線、２０５、２１０、２１５、２２０は、ファイバ・ケーブルを表しており、それゆえに、２本の実線は、各ファイバ対を表している。それらのファイバ対を使用して、主要トランク経路に沿って、また主要トランク経路とＢＵを使用して接続される１つまたは複数のブランチ・セグメントの間で、ＤＷＤＭ信号の形態でデータを搬送することができる。ファイバ・ケーブルは、例えば、カプラ／スプリッタ２９０など、１つまたは複数のカプラまたはスプリッタを使用してＯＡＤＭノード２００の内部で接続されることもある。カプラ／スプリッタ２９０は、ファイバ・ケーブルに沿ったトラフィックが、結合され、または分割され得るように、１つまたは複数のカプラまたは分割デバイスを含むことができる。さらに、ＯＡＤＭノード２００は、ＬＢＯ  ２９５など、１つまたは複数の損失ビルド・アウト・ユニット（ＬＢＯ：ｌｏｓｓ  ｂｕｉｌｄ−ｏｕｔ  ｕｎｉｔｓ）を含むことができ、この損失ビルド・アウト・ユニットを使用して、スパン損失を管理することができる。
【００１９】
一実施形態においては、ＯＡＤＭノード２００は、ノードの各レッグが、同じ数のファイバ対とインターフェースし、また各ファイバ対が、目標の宛先を対象としている３つの使用可能なトラフィックバンドａ、Ｂおよびｃのうちの２つを搬送する点で対称とすることができる。ファイバ対によって使用されていない第３のバンドは、ファイバ対の端における宛先ケーブル局を対象としていないローディング波長（ｌｏａｄｉｎｇ  ｗａｖｅｌｅｎｇｔｈｓ）を搬送することができる。例えば、南ブランチ局２７０は、ａ−バンドおよびｃ−バンドの上で双方向トラフィックを搬送することができ、またローディング波長として西トランク局２６０からＢＷバンドを受信することができる。
【００２０】
一実施形態においては、ファイバ対２０５、２１０を使用して、西トランク局２６０と東トランク局２６５の間の東−西トランク・リンクに沿って、トラフィックを搬送する。ファイバ対２１５、２２０を使用して、そのトランクから南ブランチ局２７０へとアド／ドロップ・トラフィックを搬送する。ＯＡＤＭノード２００は、西トランク局２６０および東トランク局２６５においてファイバ対２０５、２１０に接続するように構成されたインターフェースを含むことができる。ＯＡＤＭノード２００は、西トランク局２６０、東トランク局２６５、および南ブランチ局２７０の間でトラフィックを搬送するためにファイバ対２１５、２２０に接続するように構成されたインターフェースをさらに含むことができる。図２に示されるように、対称ＯＡＤＭノード２００は、ブランチに沿ったただ１つのファイバ対２１５、２２０およびトランクに沿った１つのファイバ対２０５、２１０を有し、南−東リンク、南−西リンク、および東−西リンクについての接続性を可能にすることができる。以前の解決法においては、ブランチに沿った単一のファイバ対およびトランクに沿った単一のファイバ対だけに、東−西リンクと西−南リンクまたは東−南リンクのいずれかのうちの一方についての通信をサポートしており、ブランチにおける追加のファイバ対が、すべての３つのリンク、東−西、西−南、東−南をサポートするための必要性を結果としてもたらし、このようにしてブランチ・ファイバ対のおのおのについてのより低いスペクトル効率をもたらしている。
【００２１】
おのおのの局、西局２６０、東局２６５、および南局２７０は、１つまたは複数の光学バンドをサポートすることができ、この光学バンドは、ＤＷＤＭ信号を含むことができる。光学バンドは、３つのサブバンド、ａ、Ｂおよびｃ、例えば、それ自体のそれぞれの波長範囲または複数の波長におけるおのおのへと分割されることもある。しかしながら、より多くのバンド、またはより少ないバンド、あるいはサブバンドが、使用されてもよい。ａ−バンドは、西トランク２６０と南ブランチ２７０の間のトラフィックのために確保されることもある。Ｂ−バンドは、西トランク２６０と東トランク２６５の間のトラフィックのために確保されることもある。ｃ−バンドは、トランク−東リンクと南−ブランチ・リンクの間のトラフィックのために確保されることもある。単一のＯＡＤＭノードのみが示されているが、任意の数のＯＡＤＭノードがトランクに沿って配置され、また対応するＢＵを使用してトランクに接続され得ることを理解することができる。ａバンドやｃバンドなど、１つまたは複数のバンドを使用して、ＯＡＤＭノード全体を通してトラフィックを搬送することができる。さらに、トランク・ケーブルは、同じ数のファイバ対を有するブランチ・ケーブルを有する多数のファイバ対を含むことができることにも注意すべきである。トランクの中の各ファイバ対は、ＯＡＤＭノードを経由してブランチの中で１つのファイバ対に接続されるであろう。
【００２２】
図２は、３つの光学バンドａ、Ｂおよびｃに沿ってトラフィックの起源を識別している。例えば、ａＳ、ＢＳおよびｃＳは、バンドａ、Ｂおよびｃの上のトラフィックが、南ブランチ局２７０を起源としていることを示している。バンドａＷ、ＢＷ、ｃＷは、バンドａ、Ｂおよびｃの上のトラフィックが、西トランク局２６０を起源としていることを示している。同様に、ａＥ、ＢＥ、ｃＥは、バンドａ、Ｂおよびｃの上のトラフィックが、東トランク局２６５を起源としていることを示しているなどである。
【００２３】
一実施形態においては、ＯＡＤＭノード２００は、様々な局の間のトラフィックのフローを制御するために使用される１つまたは複数のフィルタを含むことができる。各フィルタは、１つまたは複数の光学バンドをブロックし、または抑制することができる１つまたは複数のフィルタ・デバイスを含むことができる。例えば、フィルタ（ａ）２５５を使用して、東トランク局２６５を起源とするａ−バンドを抑制することができる。同様に、フィルタ（ｃ）２５０は、東トランク局２６５を起源とするｃ−バンド・トラフィックを抑制することができる。フィルタ（ｃ、ａ）２３５を使用して、ｃバンドとａバンドとの両方を抑制することができるなどである。フィルタ２２５、２３０、２３５、２４０、２４５、２５０および２５５は、トランクに沿った単一のファイバ対２０５、２１０およびブランチに沿った単一のファイバ対２１５、２２０を使用して、西トランク局２６０、東トランク局２６５、および南ブランチ局２７０の間の接続性を提供するように構成されていることもある。例えば、フィルタ２２５、２３０、２３５、２４０、２４５、２５０および２５５は、ａ−バンドが、西トランク２６０と南ブランチ２７０の間のトラフィックのために確保されることもあり、Ｂ−バンドが、西トランク２６０と東トランク２６５の間のトラフィックのために確保されることもあり、またｃ−バンドが、トランク−東リンクと南−ブランチ・リンクの間のトラフィックのために確保されることもあるように、接続性を提供するように構成されていることもある。例示のフィルタ構成が、図２の内部に示されているが、しかしながら、代替的なフィルタ構成が、使用され得ることを理解することができる。実施形態は、この例によって制限されるものではない。
【００２４】
一実施形態においては、フィルタ２２５および２５０は、両方ともに、Ｃバンドを拒絶し、また例えば、ファイバ・ブラッグ格子、干渉フィルタなど、同じ設計を有することができる。フィルタ２３０、２４０および２４５はまた、フィルタ２２５および２５０の設計と同じまたは、その設計とは異なる可能性がある同じ設計を有することもできる。しかしながら、実施形態は、この例によって制限されるものではなく、また代替的なフィルタ構成を使用して、様々なケーブル局の間でトラフィックのフローを制御することもできる。
【００２５】
一実施形態においては、ＯＡＤＭノード２００は、障害の場合に使用され得る３つのスイッチを含むことができる。障害は、例えば、システムが局の内部でダウンすること、停電すること、またはケーブルが切断されることによって引き起こされる可能性がある。使用されるバイパス・スイッチの数は、１つまたは複数のトランク局またはブランチ局によってサポートされるバンドの数に対応する可能性がある。より多くのスイッチ、またはより少ないスイッチが、使用されることもある。一実施形態においては、結果として障害をもたらすファイバ・ケーブルの切断が、西トランク２６０において起こる場合、スイッチＩＷ  ２７５を使用して、バンドＢＥをその起源に向かって、またファイバ２１５に向かって回復させるようにフィルタ２３０をバイパスすることができ、その結果、東トランク局２６５の中の受信されたスペクトルは、ａＳ、ＢＥおよびｃＳになり、またそれゆえに南ブランチ局２７０と東トランク局２６５の間でｃ−バンドにおいて搬送される双方向トラフィックは、維持される可能性がある。ＢＥの中の電力は、障害が、西トランク２６０において起こった後でさえも、受信局からローカルに直接に調整されて、光学バンドの間の相対電力を維持することができる。同様に、スイッチＩＳ  ２８０を使用して、南ブランチ局２７０におけるケーブル障害の場合に、フィルタ２３５をバイパスすることができる。スイッチＩＥ  ２８５を使用して、東トランク２６５の中のケーブル障害の場合にフィルタ２４０をバイパスし、またその起源に向かってバンドＢＷを回復させ、その結果、西トランク局２６０の中の受信されたスペクトルは、ａＳ、ＢＷおよびｃＳになり、またＢＷにおける電力は、障害が、東トランク２６５において起こった後でさえも、西トランク局２６０の受信部分からローカルに調整されて、光学バンドの間の相対電力を維持することができる。スイッチ２７５、２８０および２８５の利用により、ＯＡＤＭノード２００が、ファイバ対ごとにすべての３つのバンドａ、Ｂおよびｃをロードし続けることができるようになる。実施形態は、この例によって制限されるものではない。
【００２６】
図３は、ＯＡＤＭノード３１０を使用して、低減されたバンド幅のレガシー・システム３４５をより高いバンド幅の新しいシステム３５０および３５５と接続する光ファイバ通信システム３００を示すものである。例えば、システム３４５などのレガシー・システムは、より低いバンド幅をサポートすることができ、２つの光学バンドａおよびＢだけをサポートしている。システム３５０や３５５など、より新しいシステムは、４つの光学バンドａ、Ｂ、ｃおよびｄを含むより高いバンド幅をサポートすることができる。一実施形態においては、対称ＯＡＤＭノード３１０は、トランクに沿って、西トランク局３２０を含むレガシー・システムと、レガシー光学バンドをサポートし、また追加の光学バンドを含む東トランク局３３０を含むより新しいシステムの間に配置されることもある。南ブランチ局３４０などのブランチは、東トランク局３３０と同じバンドをサポートすることができる。
【００２７】
光ファイバ通信システム３００は、対称ＯＡＤＭノード３１０を含むことができ、この対称ＯＡＤＭノードは、トランクおよびブランチに沿った同じ数のファイバ対を使用して西トランク局３２０、東トランク局３３０、および南ブランチ局３４０の間の接続性を可能にする。例えば、西トランク局３２０と東トランク局３３０の間のトランク・リンクは、２つのセグメント３１５および３２５の形で示される単一のファイバ対を含んでいる。同様に、南ブランチ局３４０は、単一のファイバ対３３５を使用してトランクに接続される。
【００２８】
図３の内部に示されるように、ａ−バンドを使用して、西−南リンクの上で通信することができ、Ｂ−バンドを使用して、西−東リンクの上で通信することができ、またｃバンドおよびｄバンドを使用して、東−南リンクの上で通信することができる。南ブランチ局３４０は、Ｂ−バンドに含まれる波長をローディング波長として使用することができる。東トランク局３３０は、ａ−バンドの中の波長をローディング波長として使用して、ファイバ対３２５の上で一様なローディングを達成し、またこのようにして対象とされた宛先のためにトラフィックを搬送する他の３つのバンドＢ、ｃおよびｄにおける波長について電力のより効果的な制御を達成することができる。同様に、南ブランチ局３４０は、Ｂ−バンドの中の波長をローディング波長として使用して、ファイバ対３３５の上の一様なローディングを達成し、またこのようにして対象とされた宛先のためにトラフィックを搬送する他の３つのバンドａ、ｃおよびｄにおける波長についての電力のより効果的な制御を達成することができる。この例においては、レガシー・システムのバンドは、１００％の効率で使用される。実施形態は、この例によって制限されるものではない。
【００２９】
図４は、１つまたは複数のより新しい、より高いバンド幅のシステムとレガシー・システムを接続するために使用され得るＯＡＤＭノード４１０を使用した例示の光ファイバ通信システム４００を示すものである。ＯＡＤＭノード４１０は、例えば、カプラ／スプリッタ４１８など、１つまたは複数のカプラまたはスプリッタを含むことができる。カプラ／スプリッタ４１８は、ファイバ・ケーブルに沿ったトラフィックが、結合され、または分割され得るように、１つまたは複数のカプラまたは分割デバイスを含むことができる。ＯＡＤＭノード４１０は、様々な局の間でトラフィックのフローを制御するために使用される複数のフィルタをさらに含むことができる。例えば、フィルタ４１２を使用して、東トランク局４３０を起源とするＡ−バンドを抑制することができる。フィルタ４１４および４１６を使用して、北ブランチ局４４０において送信モジュール４４４および４４６を起源とするＢ−バンドを抑制することができる。
【００３０】
光ファイバ通信システム４００は、西レガシー・トランク局４２０を含むことができ、この西レガシー・トランク局は、送信モジュール４２２と、受信モジュール４２４とを含む。西トランク局４２０は、限られた光学バンド幅のものとすることができ、例えば、２つの光学バンドだけをサポートしている。システム４００は、さらに東トランク局４３０を含むことができ、この東トランク局は、ファイバ対４３５が、ファイバ対４２５よりも新しい可能性があり、このようにしてより高いバンド幅をサポートしているので、西トランク局４２０によってサポートされる２つのバンドとは対照的に、４つのバンドをサポートする。東トランク局は、送信モジュール４３４と、受信モジュール４３２とを含むことができる。西トランク局４２０と東トランク局４３０は、セグメント４２５および４３５によって表される単一のファイバ対を使用して接続されることもある。北ブランチ局４４０は、４つのバンドをサポートするより新しい、より高いバンド幅のシステムとすることができる。北ブランチ局は、２つのファイバ対４４５を使用してＯＡＤＭノード４１０に接続されることもある。各ファイバ対は、北ブランチ局４４０の内部の送信モジュールおよび受信モジュールに関連づけられる。例えば、北ブランチ局４４０は、受信モジュール４４２と、送信モジュール４４４と、送信モジュール４４６と、受信モジュール４４８とを含むことができる。
【００３１】
おのおのの送信モジュールおよび受信モジュールの内部の光学バンドが、送信され、または受信されるバンドを示すように符号化される。例えば、受信モジュール４４２の内部のＡ−バンドなどのストライプ・バンド（ｓｔｒｉｐｅｄ  ｂａｎｄｓ）は、アクティブな波長の上のデータ・トラフィックが、以下でラベル付けされる特定の方向に送信され、または受信されることを示している。モジュール４４２の内部のＡ−バンドの場合には、データ・トラフィックは、Ａ−バンドの上で西トランク局４２０から北ブランチ局４４０へと搬送される。送信モジュール４４４のＤ−バンド、Ｃ−バンド、またはＢ−バンドなど、陰影付きのバンドは、ノイズ・ローディングまたは連続波（ＣＷ：ｃｏｎｔｉｎｕｏｕｓ  ｗａｖｅ）トーンだけが、送信され、または受信されることを示している。受信モジュール４４２の内部のＢ−バンドなどのブランク・バンドは、バンドが、特定のモジュールを対象とするデータ・トラフィックを搬送することはないので、バンドが受信モジュールにおいてブロックされ得ることを示している。実施形態は、この例によって制限されるものではない。
【００３２】
例証されるように、余分のファイバ対が、ブランチの内部で必要とされ、またそれらのファイバ対は、効率的に使用されることはない。例えば、Ａ−バンドは、両方の方向に西−北リンクを介してトラフィックを搬送する。Ｂ−バンドは、両方の方向に西−東リンクを介してトラフィックを搬送する。Ｃ−バンドおよびＤ−バンドは、両方の方向に北−東リンクの上でトラフィックを搬送する。しかしながら、西局４２０が、Ｃ−バンドおよびＤ−バンドをサポートしないので、Ｃ−バンドおよびＤ−バンドは、西−東リンクの上でトラフィックを搬送することはできない。西局４２０からの使用可能なバンドは、分割されて、西トランク局４２０と北ブランチ局４４０および東トランク局４３０の両方の間の接続性を可能にする必要がある。さらに、北ブランチ局４４０のファイバ対４４５は、高いバンド幅でありながら、限られた数のバンドの上でトラフィックを搬送することができるだけである。例えば、モジュール４４２および４４４に接続されたファイバ対は、Ａ−バンドの上で北局４４０へと／からデータ・トラフィックを搬送することができるだけであり、またモジュール４４６および４４８に接続された他のファイバ対は、Ｃ−バンドとＤ−バンドとの上で北局４４０へと／からデータ・トラフィックを搬送することができるだけである。これは、高いバンド幅のファイバ対４４５の非効率的な使用である。例証されるように、それは、２つのファイバ対４４５を獲得して、北ブランチ局４２０と、西トランク局４２０および東トランク局４３０の両方の間の接続性を達成している。
【００３３】
図５は、対称ＯＡＤＭノード５１０を含む光ファイバ通信システム５００の一実施形態を示すものであり、この対称ＯＡＤＭノードを使用して、レガシー・システムと１つまたは複数のより新しい、より高い光学バンド幅のシステムを接続することができる。図５において示されるシステム５００およびＯＡＤＭノード５１０は、ある種のトポロジにおける限られた数の要素を有するが、システム５００およびＯＡＤＭノード５１０は、与えられた実装形態のために望ましいような代替的なトポロジにおけるより多くの要素、またはより少ない要素を含むことができることを理解することができる。一実施形態においては、単一のファイバ対５４５だけが、北ブランチ局５４０の内部に、またトランクの中のファイバ対ごとに、北ブランチ局５４０とＯＡＤＭノード５１０の間に必要とされる。このようにして、より高いファイバ・スペクトル効率およびすべての３つの局の間の接続性を提供するように、対称的な数のファイバ対が、利用される。一実施形態においては、北ブランチ局５４０は、それが、トランクの中でファイバ対当たりに単一のファイバ対を必要とするだけなので、より効率的に使用される。このために、エルビウムをドープしたファイバ増幅器（ＥＦＤＡ：ｅｒｂｉｕｍ−ｄｏｐｅｄ  ｆｉｂｅｒ  ａｍｐｌｉｆｉｅｒｓ）やポンプ・レーザなど、より少ないエレクトロニクスが、北ブランチ局５４０をファイバ対５４５を経由してＯＡＤＭノード５１０に接続するセグメントに沿って必要である。北局の内部のファイバ対５４５は、３つの光学バンドＡ、ＣおよびＤのうちのおのおのが、データ・トラフィックを搬送することになるので、より効率的に使用される。Ｂ−バンドは、トランクに沿った西−東の接続性のために使用されることもある。さらに、第２のファイバ対が、北局の内部に、また北局とＯＡＤＭノード５１０の間に含まれることになっていた場合、それを利用して、対称ＯＡＤＭノード５１０と同様に追加の対称ＯＡＤＭノードを使用して追加のトラフィックの北−西および北−東を搬送することができる。
【００３４】
光ファイバ通信システム５００は、西トランク局５２０を含むことができ、この西トランク局は、送信モジュール５２２と、受信モジュール５２４とを含んでいる。西トランク局５２０は、ファイバ対セグメント５２５の上でＯＡＤＭノード５１０とインターフェースすることができる。西トランク局５２０は、２つのバンド、ＡおよびＢだけをサポートするレガシー・システムとすることができる。
【００３５】
システム５００は、東トランク局５３０をさらに含むことができ、この東トランク局は、受信モジュール５３２と、送信モジュール５３４とを含むことができる。東トランク局５３０は、ファイバ対セグメント５３５の上でＯＡＤＭノード５１０とインターフェースすることができる。ファイバ対セグメント５２５および５３５は、同じファイバ対のセグメントとすることができる。東トランク局５３０は、西トランク局５２０などのレガシー・システムよりも高いバンド幅をサポートすることができる、より新しい、より高い光学バンド幅のシステムとすることができる。東トランク局５３０は、例えば、４つの光学バンド、Ａ、Ｂ、ＣおよびＤをサポートすることができる。東トランク局５３０によってサポートされる４つのバンドは、西トランク局５２０によってサポートされるバンドを含むことができる。
【００３６】
システム５００は、北ブランチ局５４０を含むことができ、この北ブランチ局は、受信モジュール５４２と、送信モジュール５４４とを含むことができる。北ブランチ局５４０は、ファイバ対５４５を介してＯＡＤＭノード５１０とインターフェースすることができる。北ブランチ局５４０は、西トランク局５２０よりも高いバンド幅をサポートすることができる、より新しい、より高い光学バンド幅のシステムとすることができる。北ブランチ局５４０は、例えば、４つのバンド、Ａ、Ｂ、ＣおよびＤをサポートすることができる。北ブランチ局５４０によってサポートされる４つのバンドは、東トランク局５３０によってサポートされるものと同じバンドとすることができ、また西トランク局５２０によってサポートされるバンドを含むことができる。
【００３７】
おのおのの送信モジュールおよび受信モジュールの内部のバンドは、送信され、または受信されるバンドを示すように符号化される。例えば、受信モジュール５４２の内部のＡ−バンドなどのストライプ・バンドは、データ・トラフィックが、以下でラベル付けされる特定の方向に送信され、または受信されることを示している。モジュール５４２の内部のＡ−バンドの場合には、データ・トラフィックは、Ａ−バンドの上で西トランク局５２０から北ブランチ局５４０へと搬送される。送信モジュール５４４のＢ−バンドなど、陰影付きのバンドは、ノイズ・ローディングまたは連続波（ＣＷ）トーンだけが、送信され、または受信されることを示している。受信モジュール５４２の内部のＢ−バンドなどのブランク・バンドは、バンドが、特定のモジュールを対象とするデータ・トラフィックを搬送することはないので、バンドが、受信モジュールにおいてブロックされ得ることを示している。実施形態は、この例によって制限されるものではない。
【００３８】
一実施形態においては、ＯＡＤＭノード５１０は、例えば、カプラ／スプリッタ５２１など、１つまたは複数のカプラまたはスプリッタを含むことができる。カプラ／スプリッタ５２１は、ファイバ・ケーブルに沿ったトラフィックが結合され、または分割され得るように、１つまたは複数のカプラまたは分割デバイスを含むことができる。ＯＡＤＭノード５１０は、西トランク局５２０と東トランク局５３０の間でトラフィックを搬送するために、ファイバ対５２５、５３５に接続されるように構成されたインターフェースを含むことができる。ＯＡＤＭノード５１０は、西トランク局５２０と北ブランチ局５４０の間で、また東トランク局５３０と北ブランチ局５４０の間でトラフィックを搬送するために、ファイバ対５４５に接続されるように構成されたインターフェースをさらに含むことができる。
【００３９】
一実施形態においては、ＯＡＤＭノード５１０は、様々な局の間でトラフィックのフローを制御するために使用される１つまたは複数のフィルタを含むことができる。各フィルタは、１つまたは複数の光学バンドをブロックし、または抑制することができる１つまたは複数のフィルタ・デバイスを含むことができる。例えば、フィルタ（Ａ）５１１を使用して、東トランク局５３０を起源とするＡ−バンドを抑制することができる。同様に、フィルタ（Ｂ）５１９は、北ブランチ局５４０を起源とするＢ−バンド・トラフィックを抑制することができる。フィルタ（Ａ、Ｂ）５１３を使用して、Ａバンドと、Ｂバンドとの両方を抑制することができ、またその他いろいろである。フィルタ５１１、５１３、５１５、５１７および５１９は、トランクに沿った単一のファイバ対５２５、５３５およびブランチに沿った単一のファイバ対５４５を使用して、西トランク局５２０、東トランク局５３０、北ブランチ局５４０のうちの２つの局の各組合せの間で接続性を提供するように構成されていることもある。例えば、フィルタ５１１、５１３、５１５、５１７および５１９は、Ｄ−バンドが、東トランク局５３０と北ブランチ局５４０の間のデータ・トラフィックのために確保されることもあり、Ａ−バンドが、北ブランチ局５４０と西トランク局５２０の間のデータ・トラフィックのために確保されることもあり、Ｂ−バンドが、西トランク局５２０と東トランク局５３０の間のデータ・トラフィックのために確保されることもあり、またＣ−バンドが、北ブランチ局５４０と東トランク局５３０の間のデータ・トラフィックのために確保されることもあるように、接続性を提供するように構成されていることもある。例示のフィルタ構成は、図５の内部に示されるが、しかしながら、代替的なフィルタ構成が、使用され得ることを理解することもできる。実施形態は、この例によって制限されるものではない。
【００４０】
一実施形態においては、図２の内部に示されるバイパス・スイッチなど、一連のバイパス・スイッチをＯＡＤＭノード５１０の内部で使用して、トラフィックが、ネットワークの内部の１つまたは複数の障害中に存続することになることを保証することができる。１つまたは複数のバイパス・スイッチは、フィルタ５１１、５１３、５１５、５１７または５１９のうちのどれかをバイパスするようにＯＡＤＭノード５１０の内部に含められることもある。さらに、使用されるバイパス・スイッチの数は、１つまたは複数のトランク局またはブランチ局によってサポートされるバンドの数に対応することができる。
【００４１】
開示されたアーキテクチャの新規の態様を実行するための例示の方法を表現する１組のフロー・チャートが、本明細書において含められる。説明を簡単にする目的のために、例えば、フロー・チャートまたは流れ図の形式で、本明細書において示される１つまたは複数の方法は、一連の動作として、示され、また説明されるが、本方法は、いくつかの動作が、それに従って、本明細書において示され、また説明される順序とは異なる順序で、かつ／または他の動作と同時に起こり得るので、動作の順序によって限定されないことを理解し、また認識すべきである。例えば、当業者なら、方法は、代わりに、状態図におけるなど一連の相互に関連した状態またはイベントとして表される可能性があることを理解し、認識するであろう。さらに、方法の中で示される必ずしもすべての動作が、新規の実装形態のために必要とされるとは限らないこともある。
【００４２】
図６は、論理フロー６００の一実施形態を示すものである。論理フロー６００は、本明細書において説明される１つまたは複数の実施形態によって実行されるオペレーションのうちの一部または全部を表現することができる。ブロック６１０は、論理フロー６００を開始する。ブロック６２０において、論理フロー６００は、第１のファイバ対の上で第１のトランク局からＯＡＤＭノードにおいて第１の通信を受信する。例えば、図２または図５の内部で示されるＯＡＤＭノードなどの対称ＯＡＤＭノードは、例えば、西トランク局２６０または西トランク局５２０などのトランク局からデータ通信を受信することができる。
【００４３】
ブロック６３０において、論理フロー６００は、第１のファイバ対の上で第２のトランク局からＯＡＤＭノードにおいて第２の通信を受信することができる。例えば、図２または図５の内部に示されるＯＡＤＭノードなどの対称ＯＡＤＭノードは、例えば、東トランク局２６５または東トランク局５３０などのトランク局からデータ通信を受信することができる。
【００４４】
ブロック６４０において、論理フロー６００は、第２のファイバ対の上で第１の通信および第２の通信をブランチ局に対してルーティングすることができる。例えば、図２または図５の内部に示されるＯＡＤＭノードなど対称ＯＡＤＭノードは、複数のフィルタを使用して、第２の単一のファイバ対の上で２つの異なるトランク局から、南ブランチ局２７０または北ブランチ局５４０などのブランチ局へと双方向通信をルーティングすることができる。対称ＯＡＤＭノードはまた、南ブランチ局２７０または北ブランチ局５４０などのブランチ局から２つの異なるトランク局への双方向通信を可能にもする。各フィルタは、１つまたは複数の光学バンドをブロックし、または抑制することができる１つまたは複数のフィルタ・デバイスを含むことができる。
【００４５】
一実施形態においては、図２の内部に示されるバイパス・スイッチなど、一連のバイパス・スイッチをＯＡＤＭノードの内部で使用して、トラフィックが、ネットワークの内部の１つまたは複数の障害中に存続することになることを保証することができる。さらに、使用されるバイパス・スイッチの数は、１つまたは複数のトランク局またはブランチ局によってサポートされるバンドの数に対応することができる。
【００４６】
いくつかの実施形態は、表現「結合される」と「接続される」とをそれらの派生語と一緒に使用して説明されることもある。これらの用語は、必ずしも互いに同義語として意図されるものとは限らない。例えば、いくつかの実施形態は、２つ以上の要素が、互いに直接に、物理的に接触しており、または電気的に接触していることを示すために、用語「接続される」および／または「結合される」を使用して説明されることもある。しかしながら、用語「結合される」はまた、２つ以上の要素が、互いに直接に接触してはいないが、それにもかかわらず依然として互いに協力し、または相互作用することを意味することもできる。
【００４７】
本開示の要約は、読者が、技術の開示の本質を迅速に確認することを可能にするように提供されることを強調しておきたい。要約は、それを使用して、特許請求の範囲の範囲または意味を解釈し、または限定することにはならないという理解とともに提出される。さらに、上記の詳細な説明においては、様々な特徴が、本開示を簡素化して効率を上げる目的のために、単一の実施形態の形で一緒にグループ分けされることが、分かる。開示のこの方法は、特許請求の範囲の実施形態が、各請求項において明示的に列挙されているよりも多くの特徴を必要とするという意図を反映するように解釈されるべきではない。もっと正確に言えば、下記の特許請求の範囲が反映するように、本発明の主題は、単一の開示された実施形態についてのすべてよりも少ない特徴の中に存在している。したがって、下記の特許請求の範囲は、これによって詳細な説明に組み込まれており、各請求項は、別個の実施形態として自立している。添付の特許請求の範囲においては、用語「含んでいる（ｉｎｃｌｕｄｉｎｇ）」および「その中に（ｉｎ  ｗｈｉｃｈ）」は、それぞれの用語「備えている／含んでいる（ｃｏｍｐｒｉｓｉｎｇ）」および「そこで（ｗｈｅｒｅｉｎ）」のそれぞれ分かりやすい英語の相当語として使用される。さらに、用語「第１の」、「第２の」、「第３の」などは、単にラベルとして使用されているにすぎず、またそれらのオブジェクトに数的な必要条件を課すことを意図してはいない。
【００４８】
上記で説明されているものは、開示されたアーキテクチャの例を含んでいる。もちろん、構成要素および／または方法のあらゆる考えられる組合せについて説明することは、可能ではないが、当業者なら、多数のさらなる組合せと置換とが可能であることを認識することができる。したがって、新規のアーキテクチャは、添付の特許請求の範囲の精神および範囲に含まれるすべてのそのような変更形態、修正形態および変形形態を包含することを意図している。
【図１】
2015501088.tif 000003
【図２】
2015501088.tif 000004
【図３】
2015501088.tif 000005
【図４】
2015501088.tif 000006
【図５】
2015501088.tif 000007
【図６】
2015501088.tif 000008
【国際調査報告】
2015501088.tif 000009